(57)【要約】  本発明は、水素結合が含まれた化合物を含むＭＲＩノイズ除去用組成物及びこれを利用したパッドに関し、水素結合の磁化による間接的なエネルギー交換を通じて自然的に高い信号を発生させ、金属により発生するノイズによって映像として具現されない組織の映像を活性化させることができるという長所がある。また、本発明による組成物は、ＭＲＩ造影剤とは異なって、非侵襲的な方法により適用することができるので、人体に副作用を招く問題がなく、毒性がないため、安全である。また、診断が必要な領域に覆ったり、ＭＲＩ装置に付着する方法により利用されて、比較的広い範囲の映像を改善することができ、プログラムにより歪曲された映像を復元することよりも正確な映像情報を獲得することができるという長所がある。同時に、本発明による組成物は、その製造に必要とされる費用が少ないため、企業で容易に製品化することができるものと期待される。【選択図】図５ｄ
2020510510.tif 000002
【特許請求の範囲】
【請求項１】
水素結合が可能な官能基を有する化合物を含むＭＲＩ映像のノイズ除去用組成物。
【請求項２】
前記組成物は、ＭＲＩ映像の画質を改善することを特徴とする請求項１に記載の組成物。
【請求項３】
前記化合物は、水（Ｈ２Ｏ）、アミルアルコール（Ｃ５Ｈ１１ＯＨ）、ブチルアルコール（ＣＨ３ＣＨ２ＣＨ２ＯＨ）、エタノール（Ｃ２Ｈ５ＯＨ）、メチルアルコール（ＣＨ３ＯＨ）、エチレングリコール（ＯＨＣＨ２ＣＨ２ＯＨ）、ホルムアルデヒド（ＨＣＨＯ）、ニトロベンゼン（Ｃ６Ｈ５ＮＯ２）、プロピレングリコール（ＯＨ（ＣＨ２）３ＯＨ）、過酸化水素（Ｈ２Ｏ２）、酢酸（ＣＨ３ＣＯＯＨ）、氷酢酸（Ｃ４Ｈ６Ｏ３）、酪酸（Ｃ３Ｈ７ＣＯＯＨ）、べンゼンスルホン酸（Ｃ６Ｈ５ＳＯ３Ｈ）、安息香酸（Ｃ６Ｈ５ＣＯＯＨ）、クロム酸（Ｈ２ＣｒＯ４）、クエン酸（Ｃ６Ｈ８Ｏ７Ｈ２Ｏ）、フッ化ケイ素酸（Ｈ２ＳｉＦ６）、フッ化ホウ素酸（ＨＢＦ４）、蟻酸（ＨＣＯＯＨ）、塩酸（ＨＣｌ）、シアン化水素酸（ＨＣＮ）、フッ化水素酸（ＨＦ）、次亜塩素酸（ＨＣｌＯ）、乳酸（ＣＨ３ＣＨＯＨＣＯＯＨ）、マレイン酸（ＣＨＯＯＨ）２、硝酸（ＨＮＯ３）、オレイン酸（Ｃ１８Ｈ３４Ｏ２）、リン酸（Ｈ３ＰＯ４）、過塩素酸（ＨＣｌＯ４）、硫酸（Ｈ２ＳＯ４）、ステアリン酸（Ｃ１７Ｈ３５ＣＯＯＨ）、三塩化酢酸（ＣＣｌ３ＣＯＯＨ）、アンモニア（ＮＨ４ＯＨ）、炭酸水素ナトリウム（ＮａＨＣＯ３）、炭酸アンモニウム（（ＮＨ４）２ＣＯ３）、塩化アンモニウム（（ＮＨ４）２Ｃｌ）、硝酸アンモニウム（ＮＨ４ＮＯ３）、過硫酸アンモニウム（（ＮＨ４）２Ｓ２Ｏ８）、グリセリン（Ｃ３Ｈ８Ｏ３）、硫酸アンモニウム（（ＮＨ４）２ＳＯ４）、及び重炭酸アンモニウム（ＮＨ４ＨＣＯ３）よりなる群から選ばれる１種以上であることを特徴とする請求項１に記載の組成物。
【請求項４】
前記ノイズは、身体に挿入された金属により発生することを特徴とする請求項１に記載の組成物。
【請求項５】
請求項１に記載の組成物を含むＭＲＩ映像のノイズ除去用パッド。
【請求項６】
前記パッドは、ＭＲＩ映像の画質を改善することを特徴とする請求項５に記載のパッド。
【請求項７】
前記パッドは、前記組成物を収容するカバーをさらに含むことを特徴とする請求項５に記載のパッド。
【請求項８】
前記パッドは、ヒトの身体形態に変形可能であることを特徴とする請求項５に記載のパッド。
【請求項９】
前記パッドは、ＭＲＩ装備の主コイル（ｍａｉｎ  ｂｏｄｙ  ｃｏｉｌ）、シムコイル（ｓｈｉｍ  ｃｏｉｌ）、ＲＦコイル（ＲＦ  ｃｏｉｌ）、配列コイル（ａｒｒａｙ  ｃｏｉｌ）、表面コイル（ｓｕｒｆａｃｅ  ｃｏｉｌ）、後面コイル（ｓｐｉｎｅ  ｃｏｉｌ）、頭部コイル（ｈｅａｄ  ｃｏｉｌ）、末端コイル（ｅｘｔｒｅｍｅｔｙ  ｃｏｉｌ）、または胴体コイル（ｔｏｒｓｏ  ｃｏｉｌ）に脱付着が可能であることを特徴とする請求項５に記載のパッド。
【請求項１０】
請求項１に記載の組成物が注入されたＭＲＩ装備コイル。
【請求項１１】
前記ＭＲＩ装備コイルは、主コイル（ｍａｉｎ  ｂｏｄｙ  ｃｏｉｌ）、シムコイル（ｓｈｉｍ  ｃｏｉｌ）、ＲＦコイル（ＲＦ  ｃｏｉｌ）、配列コイル（ａｒｒａｙ  ｃｏｉｌ）、表面コイル（ｓｕｒｆａｃｅ  ｃｏｉｌ）、後面コイル（ｓｐｉｎｅ  ｃｏｉｌ）、頭部コイル（ｈｅａｄ  ｃｏｉｌ）、末端コイル（ｅｘｔｒｅｍｅｔｙ  ｃｏｉｌ）、及び胴体コイル（ｔｏｒｓｏ  ｃｏｉｌ）よりなる群から選ばれる１種以上のコイルであることを特徴とする請求項１０に記載のＭＲＩ装備コイル。
【請求項１２】
水素結合が可能な官能基を有する化合物を含む組成物を利用してＭＲＩ映像ノイズを除去する方法。
【請求項１３】
前記化合物は、水（Ｈ２Ｏ）、アミルアルコール（Ｃ５Ｈ１１ＯＨ）、ブチルアルコール（ＣＨ３ＣＨ２ＣＨ２ＯＨ）、エタノール（Ｃ２Ｈ５ＯＨ）、メチルアルコール（ＣＨ３ＯＨ）、エチレングリコール（ＯＨＣＨ２ＣＨ２ＯＨ）、ホルムアルデヒド（ＨＣＨＯ）、ニトロベンゼン（Ｃ６Ｈ５ＮＯ２）、プロピレングリコール（ＯＨ（ＣＨ２）３ＯＨ）、過酸化水素（Ｈ２Ｏ２）、酢酸（ＣＨ３ＣＯＯＨ）、氷酢酸（Ｃ４Ｈ６Ｏ３）、酪酸（Ｃ３Ｈ７ＣＯＯＨ）、ベンゼンスルホン酸（Ｃ６Ｈ５ＳＯ３Ｈ）、安息香酸（Ｃ６Ｈ５ＣＯＯＨ）、クロム酸（Ｈ２ＣｒＯ４）、クエン酸（Ｃ６Ｈ８Ｏ７Ｈ２Ｏ）、フッ化ケイ素酸（Ｈ２ＳｉＦ６）、フッ化ホウ素酸（ＨＢＦ４）、蟻酸（ＨＣＯＯＨ）、塩酸（ＨＣｌ）、シアン化水素酸（ＨＣＮ）、フッ化水素酸（ＨＦ）、次亜塩素酸（ＨＣｌＯ）、乳酸（ＣＨ３ＣＨＯＨＣＯＯＨ）、マレイン酸（ＣＨＯＯＨ）２、硝酸（ＨＮＯ３）、オレイン酸（Ｃ１８Ｈ３４Ｏ２）、リン酸（Ｈ３ＰＯ４）、過塩素酸（ＨＣｌＯ４）、硫酸（Ｈ２ＳＯ４）、ステアリン酸（Ｃ１７Ｈ３５ＣＯＯＨ）、三塩化酢酸（ＣＣｌ３ＣＯＯＨ）、アンモニア（ＮＨ４ＯＨ）、炭酸水素ナトリウム（ＮａＨＣＯ３）、炭酸アンモニウム（（ＮＨ４）２ＣＯ３）、塩化アンモニウム（（ＮＨ４）２Ｃｌ）、硝酸アンモニウム（ＮＨ４ＮＯ３）、過硫酸アンモニウム（（ＮＨ４）２Ｓ２Ｏ８）、グリセリン（Ｃ３Ｈ８Ｏ３）、硫酸アンモニウム（（ＮＨ４）２ＳＯ４）、及び重炭酸アンモニウム（ＮＨ４ＨＣＯ３）よりなる群から選ばれる１種以上であることを特徴とする請求項１２に記載の方法。
【請求項１４】
水素結合が可能な官能基を有する化合物を含むパッドの製造段階と；
前記パッドを個体の関心領域に付着する段階と；
ＭＲＩ映像撮影装置を利用して前記関心領域のＭＲＩ映像を獲得する段階と；を含むノイズが減少したＭＲＩ映像の獲得方法。
【請求項１５】
前記化合物は、水（Ｈ２Ｏ）、アミルアルコール（Ｃ５Ｈ１１ＯＨ）、ブチルアルコール（ＣＨ３ＣＨ２ＣＨ２ＯＨ）、エタノール（Ｃ２Ｈ５ＯＨ）、メチルアルコール（ＣＨ３ＯＨ）、エチレングリコール（ＯＨＣＨ２ＣＨ２ＯＨ）、ホルムアルデヒド（ＨＣＨＯ）、ニトロベンゼン（Ｃ６Ｈ５ＮＯ２）、プロピレングリコール（ＯＨ（ＣＨ２）３ＯＨ）、過酸化水素（Ｈ２Ｏ２）、酢酸（ＣＨ３ＣＯＯＨ）、氷酢酸（Ｃ４Ｈ６Ｏ３）、酪酸（Ｃ３Ｈ７ＣＯＯＨ）、ベンゼンスルホン酸（Ｃ６Ｈ５ＳＯ３Ｈ）、安息香酸（Ｃ６Ｈ５ＣＯＯＨ）、クロム酸（Ｈ２ＣｒＯ４）、クエン酸（Ｃ６Ｈ８Ｏ７Ｈ２Ｏ）、フッ化ケイ素酸（Ｈ２ＳｉＦ６）、フッ化ホウ素酸（ＨＢＦ４）、蟻酸（ＨＣＯＯＨ）、塩酸（ＨＣｌ）、シアン化水素酸（ＨＣＮ）、フッ化水素酸（ＨＦ）、次亜塩素酸（ＨＣｌＯ）、乳酸（ＣＨ３ＣＨＯＨＣＯＯＨ）、マレイン酸（ＣＨＯＯＨ）２、硝酸（ＨＮＯ３）、オレイン酸（Ｃ１８Ｈ３４Ｏ２）、リン酸（Ｈ３ＰＯ４）、過塩素酸（ＨＣｌＯ４）、硫酸（Ｈ２ＳＯ４）、ステアリン酸（Ｃ１７Ｈ３５ＣＯＯＨ）、三塩化酢酸（ＣＣｌ３ＣＯＯＨ）、アンモニア（ＮＨ４ＯＨ）、炭酸水素ナトリウム（ＮａＨＣＯ３）、炭酸アンモニウム（（ＮＨ４）２ＣＯ３）、塩化アンモニウム（（ＮＨ４）２Ｃｌ）、硝酸アンモニウム（ＮＨ４ＮＯ３）、過硫酸アンモニウム（（ＮＨ４）２Ｓ２Ｏ８）、グリセリン（Ｃ３Ｈ８Ｏ３）、硫酸アンモニウム（（ＮＨ４）２ＳＯ４）、及び重炭酸アンモニウム（ＮＨ４ＨＣＯ３）よりなる群から選ばれる１種以上であることを特徴とする請求項１４に記載のノイズが減少したＭＲＩ映像の獲得方法。
【請求項１６】
水素結合が可能な官能基を有する化合物を含む組成物のＭＲＩ映像のノイズ除去のための使用。
【発明の詳細な説明】
【技術分野】
【０００１】
本発明は、ＭＲＩノイズ除去用組成物及びこれを利用したパッドに関し、前記組成物は、水素結合が可能な官能基を有する化合物を含むことを特徴とする。
【背景技術】
【０００２】
一般的なＭＲＩ造影剤は、侵襲的な行為により人体に注入されて、体内の水素原子核の共鳴による信号を強化して、さらに明確な身体深部の映像イメージを得ることができるようにする。しかしながら、侵襲的な行為、例えば静脈注射を通した造影剤の注入は、嘔吐、腹痛、下痢、高血圧、頭痛、発熱、悪寒、せき、鼻詰まりなど特別な処置が必要ない軽い症状から目まい、低血圧、徐脈、全身じんましん、血管浮腫、呼吸困難、腎原性線維皮膚疾患、腎原性全身線維症（ＮＳＦ）など深刻な副作用が発生する問題があり、体内に金属インプラントなど磁場に影響を及ぼす物質がある場合、映像に発生するノイズを除去しない限界がある。
【０００３】
また、造影剤により解決できない体内の金属インプラントなどによるノイズ除去のための技術は、主として映像の欠損部分をコンピュータアルゴリズムで推定して補完するものであって、このような技術は、不正確であり、再現できる部分が広くないという問題がある。前記のような問題点を解決するために、ＭＲＩ映像を通じて正常組織と病変組織をさらに明確に区分することができるように人体映像の獲得過程で発生する金属物質ノイズ及び不均質な歪曲映像を解決するための多くの研究が進行されているが（韓国特許登録ＫＲ１０−１２６２４７９参照）、ソフトウェアによる映像改善が有する限界と体内で発生する造影剤の副作用の問題を同時に改善できる映像改善技術は、研究が十分でないのが現況であり、特にこのような問題を克服するために、体内注入されない非侵襲的組成物を利用した技術はまだ報告されたことがない。
【０００４】
本発明者らは、一般的な造影剤とは異なって、非侵襲的な方法によりＭＲＩ映像の獲得に発生するノイズを除去するために鋭意努力して、水素結合が可能な官能基を含む物質を診断が必要な人体の一領域に付着したり、これを含むパッドを製作して覆う方法により効果的に金属ノイズを除去することができることを確認し、本発明の組成物またはパッドをＭＲＩコイルに付着したり挿入させる場合にも、同一の効果を得ることができることを確認して本発明を完成した。
【発明の概要】
【発明が解決しようとする課題】
【０００５】
これより、本発明の発明者は、前記のような問題点を解決するために、ＭＲＩ映像を撮影する場合、ノイズを除去するために鋭意努力しているところ、水素結合が可能な官能基を含む物質を通じてＭＲＩ映像のノイズと虚像の映像を復元して、効率的に金属物質のノイズ除去と画質改善を行うことができるという点を確認することによって、本発明を完成するに至った。
【０００６】
したがって、本発明の目的は、水素結合が可能な官能基を有する化合物を含む、ＭＲＩ映像のノイズ除去のための組成物を提供することにある。
【０００７】
本発明の他の目的は、前記組成物を利用してＭＲＩ映像のノイズ除去のためのパッドを提供することにある。
【０００８】
本発明のさらに他の目的は、前記組成物が注入されたＭＲＩ装備コイルを提供することにある。
【０００９】
しかしながら、本発明が達成しようとする技術的課題は、以上で言及した課題に制限されず、言及されていない他の課題は、下記の記載から当業者に明確に理解され得る。
【課題を解決するための手段】
【００１０】
前記目的を達成するために、本発明は、水素結合が可能な官能基を有する化合物を含む、ＭＲＩ映像のノイズ除去のための組成物を提供する。
【００１１】
前記組成物は、ＭＲＩ映像の画質を改善することができるが、これに制限されるものではない。
【００１２】
また、前記化合物は、 水（Ｈ２Ｏ）、アミルアルコール（Ｃ５Ｈ１１ＯＨ）、ブチルアルコール（ＣＨ３ＣＨ２ＣＨ２ＯＨ）、エタノール（Ｃ２Ｈ５ＯＨ）、メチルアルコール（ＣＨ３ＯＨ）、エチレングリコール（ＯＨＣＨ２ＣＨ２ＯＨ）、ホルムアルデヒド（ＨＣＨＯ）、ニトロベンゼン（Ｃ６Ｈ５ＮＯ２）、プロピレングリコール（ＯＨ（ＣＨ２）３ＯＨ）、過酸化水素（Ｈ２Ｏ２）、酢酸（ＣＨ３ＣＯＯＨ）、氷酢酸（Ｃ４Ｈ６Ｏ３）、酪酸（Ｃ３Ｈ７ＣＯＯＨ）、ベンゼンスルホン酸（Ｃ６Ｈ５ＳＯ３Ｈ）、安息香酸（Ｃ６Ｈ５ＣＯＯＨ）、クロム酸（Ｈ２ＣｒＯ４）、クエン酸（Ｃ６Ｈ８Ｏ７Ｈ２Ｏ）、フッ化ケイ素酸（Ｈ２ＳｉＦ６）、フッ化ホウ素酸（ＨＢＦ４）、蟻酸（ＨＣＯＯＨ）、塩酸（ＨＣｌ）、シアン化水素酸（ＨＣＮ）、フッ化水素酸（ＨＦ）、次亜塩素酸（ＨＣｌＯ）、乳酸（ＣＨ３ＣＨＯＨＣＯＯＨ）、マレイン酸（ＣＨＯＯＨ）２、硝酸（ＨＮＯ３）、オレイン酸（Ｃ１８Ｈ３４Ｏ２）、リン酸（Ｈ３ＰＯ４）、過塩素酸（ＨＣｌＯ４）、硫酸（Ｈ２ＳＯ４）、ステアリン酸（Ｃ１７Ｈ３５ＣＯＯＨ）、三塩化酢酸（ＣＣｌ３ＣＯＯＨ）、アンモニア（ＮＨ４ＯＨ）、炭酸水素ナトリウム（ＮａＨＣＯ３）、炭酸アンモニウム（（ＮＨ４）２ＣＯ３）、塩化アンモニウム（（ＮＨ４）２Ｃｌ）、硝酸アンモニウム（ＮＨ４ＮＯ３）、過硫酸アンモニウム（（ＮＨ４）２Ｓ２Ｏ８）、グリセリン（Ｃ３Ｈ８Ｏ３）、硫酸アンモニウム（（ＮＨ４）２ＳＯ４）、及び重炭酸アンモニウム（ＮＨ４ＨＣＯ３）よりなる群から選ばれる一つ以上であってもよいが、これらに制限されるものではない。
【００１３】
また、前記水は、軽水、重水、三重水、及び蒸留水よりなる群から選ばれる一つであってもよいが、これらに制限されるものではない。
【００１４】
また、前記水素結合を含む化合物は、組成物の総重量に対して４０重量％以上を含むことが好ましいが、これに制限されるものではない。
【００１５】
また、本発明の組成物は、映像強化のために、造影剤として使用され得る物質を追加的にさらに含むことができ、前記造影剤として使用され得る物質は、ガドキセト酸二ナトリウム、酸化カルシウム、トロメタモール、水酸化ナトリウム、塩酸、注射用水、カルテリドールカルシウム、酸化ガドリニウム、カルシウム、メグルミン、イオビ−ディティピエイ（ＥＯＢ  ＤＴＰＡ）、ガドテリドール及びキレート化剤よりなる群から選ばれるが、これらに制限されるものではない。
【００１６】
また、前記ノイズは、身体に挿入された金属により発生することができる。
【００１７】
また、本発明の組成物は、パッド内に充填されて使用され得、本発明の組成物は、身体を覆うパッドとして使用することができると共に、ＭＲＩ装備の主コイル（ｍａｉｎ  ｂｏｄｙ  ｃｏｉｌ）、シムコイル（ｓｈｉｍ  ｃｏｉｌ）、ＲＦコイル（ＲＦ  ｃｏｉｌ）、配列コイル（ａｒｒａｙ  ｃｏｉｌ）、表面コイル（ｓｕｒｆａｃｅ  ｃｏｉｌ）、後面コイル（ｓｐｉｎｅ  ｃｏｉｌ）、頭部コイル（ｈｅａｄ  ｃｏｉｌ）、末端コイル（ｅｘｔｒｅｍｅｔｙ  ｃｏｉｌ）または胴体コイル（ｔｏｒｓｏ  ｃｏｉｌ）に脱付着が可能である。
【００１８】
また、本発明の組成物をＭＲＩ装備の主コイル（ｍａｉｎ  ｂｏｄｙ  ｃｏｉｌ）、シムコイル（ｓｈｉｍ  ｃｏｉｌ）、ＲＦコイル（ＲＦ  ｃｏｉｌ）、配列コイル（ａｒｒａｙ  ｃｏｉｌ）、表面コイル（ｓｕｒｆａｃｅ  ｃｏｉｌ）、後面コイル（ｓｐｉｎｅ  ｃｏｉｌ）、頭部コイル（ｈｅａｄ  ｃｏｉｌ）、末端コイル（ｅｘｔｒｅｍｅｔｙ  ｃｏｉｌ）、または胴体コイル（ｔｏｒｓｏ  ｃｏｉｌ）に注入する形態で使用することができる。
【００１９】
本発明の他の態様では、前記ＭＲＩ映像のノイズ除去用組成物を含むＭＲＩ映像のノイズ除去のためのパッドを提供する。
【００２０】
前記パッドは、ＭＲＩ映像の画質を改善することができるが、これに制限されるものではない。
【００２１】
また、本発明のパッドは、前記組成物を収容するカバーをさらに含むことができる。前記カバーは、ビニルカバーであってもよいが、これに制限されるものではない。
【００２２】
また、本発明のパッドは、ヒトの身体形態、例えば頭部、四肢、脊椎、腹部などに変形可能なパッドであってもよい。
【００２３】
また、本発明のパッドは、ＭＲＩ装備の主コイル（ｍａｉｎ  ｂｏｄｙ  ｃｏｉｌ）、シムコイル（ｓｈｉｍ  ｃｏｉｌ）、ＲＦコイル（ＲＦ  ｃｏｉｌ）、配列コイル（ａｒｒａｙ  ｃｏｉｌ）、表面コイル（ｓｕｒｆａｃｅ  ｃｏｉｌ）、後面コイル（ｓｐｉｎｅ  ｃｏｉｌ）、頭部コイル（ｈｅａｄ  ｃｏｉｌ）、末端コイル（ｅｘｔｒｅｍｅｔｙ  ｃｏｉｌ）、または胴体コイル（ｔｏｒｓｏ  ｃｏｉｌ）に脱付着が可能なパッドであってもよいが、これらに制限されるものではない。
【００２４】
また、パッド内に充填剤をさらに含むことができ、前記充填剤は、液体ゼリー型と固体型であってもよく、固体型である場合、流動性が少ないビーズ状、粉末状またはビーズ状とゼリー型の混合が可能になり得る。
【００２５】
本発明のさらに他の態様では、前記ＭＲＩ映像のノイズ除去用組成物が注入されたＭＲＩ装備コイルを提供する。
【００２６】
前記ＭＲＩ装備コイルは、主コイル（ｍａｉｎ  ｂｏｄｙ  ｃｏｉｌ）、シムコイル（ｓｈｉｍ  ｃｏｉｌ）、ＲＦコイル（ＲＦ  ｃｏｉｌ）、配列コイル（ａｒｒａｙ  ｃｏｉｌ）、表面コイル（ｓｕｒｆａｃｅ  ｃｏｉｌ）、後面コイル（ｓｐｉｎｅ  ｃｏｉｌ）、頭部コイル（ｈｅａｄ  ｃｏｉｌ）、末端コイル（ｅｘｔｒｅｍｅｔｙ  ｃｏｉｌ）、及び胴体コイル（ｔｏｒｓｏ  ｃｏｉｌ）よりなる群から選ばれる１種以上のコイルであってもよいが、これらに制限されるものではない。
【００２７】
また、本発明は、水素結合が可能な官能基を有する化合物を含む組成物を利用してＭＲＩ映像ノイズを除去する方法を提供する。
【００２８】
また、本発明は、水素結合が可能な官能基を有する化合物を含むパッドの製造段階と；前記パッドを個体の関心領域に付着する段階と；ＭＲＩ映像撮影装置を利用して前記関心領域のＭＲＩ映像を獲得する段階と；を含むノイズが減少したＭＲＩ映像の獲得方法を提供する。
【００２９】
また、本発明は、水素結合が可能な官能基を有する化合物を含む組成物のＭＲＩ映像ノイズ除去のための使用を提供する。
【発明の効果】
【００３０】
本発明の水素結合が可能な官能基を有する化合物は、水素結合の磁化による間接的なエネルギー交換を通じて自然的に高い信号を発生させ、金属により発生するノイズによって映像として具現されない組織の映像を活性化させることができるという長所がある。金属物質による組織破損映像は、理論的に再生及び復旧が不可能であるが、本発明によるパッドは、欠損された映像の撮影が可能であるので、映像欠損の問題を根本的に解決することができるので、本映像技術を利用する場合、理論的に回復が難しい映像を現実的に再生可能にする。また、本発明は、ＭＲＩの基本映像獲得において水素の磁化率による人体の臓器を表わす基本的な理論に基づいて根本的かつ具体化した科学的知識に基づいて着目したものであるから、その理論に基づいて金属物質のノイズ除去効果と画質改善を証明したものと認められる。
【００３１】
また、本発明による組成物は、ＭＲＩ造影剤とは異なって、非侵襲的な方法により適用することができるので、人体に副作用を招く問題がなく、毒性がないため、安全である。また、診断が必要な領域に覆ったり、ＭＲＩ装置に付着する方法により利用されて、比較的広い範囲の映像を改善することができ、アルゴリズムを利用したソフトウェアにより歪曲された映像を復元することよりも正確な映像情報を獲得することができるという長所がある。同時に、本発明による組成物は、その価格が安くて効果的でありながら経済的なMRI 映像の改善の補助ツールとして使用することができる。
【図面の簡単な説明】
【００３２】
【図１ａｂ】図１ａは、酢酸パッドを製作するために、果汁酢酸、増粘剤、及びグリセリン（超音波ゼリー）溶液を準備したものを示し、図１ｂは、前記準備した材料を混合してゼリー形態で作ることを示す。
【図２】図２は、混合されたゼリー形態の果汁酢酸を衛生ビニル型容器に入れて作った酢酸ゼリーパッドを示す。
【図３】図３は、脂肪容器にクリップを加えて自体製作したファントムを示す。
【図４ａｂ】図４ａは、一般ファントム映像と水パッド、酢酸パッドのＲＯＩ平均値を比較した結果を示し、図４ｂは、金属物質のノイズ減少に対する比較実験結果、ＧＥヘルスケア補助パッド（図４ｂの左側）と酢酸パッド（図４ｂの右側）映像の差異を示す。
【図５ａｂｃｄｅｆｇｈｉｊｋｌ】図５ａ及び図５ｂは、金属物質のノイズによる映像を、パッドの使用前（図５ａ及び図５ｂの各左側）と使用後（図５ａ及び図５ｂの各右側）を比較した結果を示し、図５ｃは、人体の磁化率の差異による虚像の映像を比較した結果であり、図５ｄ〜図５ｌは、パッドの使用前（図５ｄ〜図５ｌの各左側）と使用後（図５ｄ〜図５ｌの各右側）の映像の金属物質のノイズ改善と画質改善効果を肉眼で観察した結果を示す。
【図６】図６は、水及び酢酸を利用したＭＲＩ映像のノイズ除去効果を確認した結果を示す。
【図７】図７は、クエン酸を利用したＭＲＩ映像のノイズ除去効果を確認した結果を示す。
【図８】図８は、炭酸水素ナトリウムを利用したＭＲＩ映像のノイズ除去効果を確認した結果を示す。
【図９】図９は、エタノールを利用したＭＲＩ映像のノイズ除去効果を確認した結果を示す。
【図１０】図１０は、グリセリンを利用したＭＲＩ映像のノイズ除去効果を確認した結果を示す。
【発明を実施するための形態】
【００３３】
以下、次の実施例または図面により本発明をより具体的に説明する。しかしながら、次の実施例または図面に関する説明は、本発明の具体的な実施態様を特定して説明しようとするものに過ぎず、本発明の権利範囲をこれらに記載された内容に限定したり制限解析しようと意図するものではない。
【００３４】
［実施例１］実験準備及び実験方法
１−１．酢酸パッド製作
酢酸は、購入が容易であると共に、人体に無害であるので、このような酢酸を使用してＭＲＩ映像のノイズ除去と画質改善効果を得ることができるかを調べてみるために、果汁で作った酢酸を利用して自然的に得ることができる濃度の酢酸をもってパッドを製作した。
【００３５】
果汁酢酸に若干のグリセリンを混合し、患者のインプラント部位に容易に付着するための増粘剤を使用したが、この際、使用された増粘剤は、超音波ゼリー成分のうちグリセリンと一般増粘成分が混合されたものを言い、前記増粘剤は、超音波ゼリーに代替可能である。
【００３６】
図１ａに示されたように、果汁酢酸約１リットル、増粘剤、及びグリセリン（超音波ゼリー）溶液を準備した後、果汁酢酸２００ｍｌと増粘剤及びグリセリン（超音波ゼリー）８００ｍｌの割合で粘性があるまで混合して、ゼリー形態で作った（図１ｂ参照）。
【００３７】
次に、図２に示されたように、混合されたゼリー形態の果汁酢酸を衛生ビニル型容器に入れて常温（１５〜２５℃）保管した後、前記酢酸ゼリーパッドを口頭同意が完了した患者を対象として検査の最後にインプラントの周囲に付着させて検査を１回施行した。
【００３８】
１−２．酢酸パッド使用前／後の比較実験
人体実験の限界を克服するために、図３に示されたように、脂肪容器にクリップを加えて自体製作したファントムを使用して、一般ファントム、動き防止パッド、砂袋パッド、米パッド（組織等価物質）、ＧＥヘルスケア腹部脂肪減少パッド、水、酢酸パッドの順に、各種パッドを比較実験した。
【００３９】
より具体的に、規定されたプロトコルＴ１  Ｆａｔ  Ｓａｔｕｒａｔｉｏｎ（Ｆｏｖ  ２４０×２０７、ＴＲ  ７５０ｍｓ、ＴＥ  １２ｍｓ、Ｔｈｉｃｋｎｅｓｓ  ４ｍｍ、Ｇａｐ  １．５ｍｍ）を利用して国際規格のファントムを検査対象とし、果汁酢酸成分パッド使用前と後を比較して観察した。検査後、映像は、Ｍａｒｏｖｉｅｗ  Ｉｎｆｉｎｉｔｔ、バージョンＭ−ｖｉｅｗ  ｖ  ５．４．１０．６１のワークステーションＲＯＩ（対照度ＨＵ値）で関心領域ＲＯＩ（Ｒｅｇｉｏｎ  Ｏｆ  Ｉｎｔｅｒｅｓｔ）部位を測定した。
【００４０】
前記ファントム実験後に患者観察検査を行い、酢酸パッドを使用前と後に分けて検査してイメージを獲得した。
【００４１】
［実施例２］ファントムを対象とする酢酸パッド使用前／後の確認
国際規格のＱＣ（ｑｕａｌｉｔｙ  ｃｏｎｔｒｏｌ）、すなわち、機器の質の向上を点検するために、前記実施例１−２に記載された方法によって国際規格ＱＣファントムを利用して実験を行った後、一般ファントム映像と水パッド、酢酸パッドのＲＯＩ平均値を比較した結果、図４ａ及び表１に示されたように、何も載置しない一般ファントム映像の平均値は、２０２９（図４ａの上段左側）、水を載置したパッドは、２３１８（図４ａの上段右側）、酢酸パッドを載置した平均値は、２３６４（図４ａの下段）と測定された。
【００４２】
【表１】
2020510510.tif 000003
【００４３】
また、図４ｂに示されたように、金属物質のノイズ減少に対する比較実験結果、ＧＥヘルスケア補助パッド（図４ｂの左側）と酢酸パッド（図４ｂの右側）の映像は差異を示した。前記から、酢酸の含有量が高ければ高いほどＲＯＩ平均値が増加し、ノイズ減衰率が上昇することを確認することができるところ、これを通じて、酢酸が金属物質のノイズを減衰させるという事実を知ることができ、これは、水素含有率が高く、その濃度が濃厚であるほどＲＯＩ測定値とノイズ減衰効果がさらに増加するという事実を示唆する。
【００４４】
［実施例３］患者を対象とする酢酸パッド使用前／後の確認
金属物質のノイズによる映像の酢酸パッド使用前と後を比較するために、前記実施例１−２に記載された方法によって患者を観察した。この際、酢酸パッド使用効果に対する客観的測定データ数値を比較するために、画質対照度の最小及び最大標準偏差のＲＯＩ平均値を示して比較した。
【００４５】
その結果、図５ａ〜図５ｃ及び表２に示されたように、酢酸パッド前と後の客観的ＲＯＩ平均値を比較したとき、パッドの使用前（図５ａ〜図５ｃの各左側）に比べてパッド使用後（図５ａ〜図５ｃの各右側）のＲＯＩ平均値がすべて増加したところ、酢酸パッド使用後、映像の対照度が卓越することが分かる。
【００４６】
【表２】
2020510510.tif 000004
【００４７】
また、図５ｃは、人体の磁化率の差異による虚像の映像を比較した結果であって、首側の癌病変において虚像により示さなかった部位（図５ｃの左側）に酢酸パッドを使用（図５ｃの右側）したとき、映像の画質が大きく改善されたことを示す。また、図５ｄ〜５ｌに示されたように、肉眼で観察したとき、パッド使用前（図５ｄ〜図５ｌの各左側）に比べてパッド使用後（図５ｄ〜図５ｌの各右側）、ＭＲＩ映像の金属物質のノイズ改善と画質改善効果が明白であることが分かるので、酢酸パッドを利用する場合、ＭＲＩ診断領域の情報が非常に広くなり得るという事実を導き出すことができる。
【００４８】
［実施例４］水素結合が可能な官能基を有する化合物を含むパッドのＭＲＩ映像のノイズ除去効果確認
前記実施例３のように、酢酸を構成成分とするパッド使用前と後の人体映像を獲得したところ、酢酸のように水素含量が多いクエン酸、炭酸水素ナトリウム、エタノール、及びグリセリンを充填した各パッドのＭＲＩ映像のノイズ除去効果を確認するために、自体製作したファントムを利用して映像で関心領域測定（ｒｅｇｉｏｎ  ｏｆ  ｉｎｔｅｒｅｓｔ；ＲＯＩ）平均値を測定した。
【００４９】
各酢酸、クエン酸、炭酸水素ナトリウム、エタノール、及びグリセリンの濃度０％は、水（Ｈ２Ｏ）を意味し、ＭＲＩ映像獲得は、水素がある成分を対象とするところ、映像獲得のための基準であって、ＭＲＩ定期点検及び国際標準点検によって自然状態である水（Ｈ２Ｏ）を標準として定めた。
【００５０】
４−１．水（Ｈ２Ｏ）及び酢酸を利用したＭＲＩ映像のノイズ除去確認
前記実施例１−１に記載された方法によって、酢酸（ＣＨ３ＣＯＯＨ）をパッド内に充填してパッドを製作した後、ＭＲＩ映像を測定した。
【００５１】
その結果、図６及び表３に示されたように、図面の左側から右側に（上段の酢酸の濃度は、左側から右側に０％（Ｈ２Ｏ）値を基準として２０％、４０％の順に高くなり、同様に、下段の酢酸の濃度も、左側から右側に６０％、８０％、１００％の順に高くなった）次第に酢酸の濃度が高くなるほど、ＲＯＩ平均値が増加し、ＭＲＩ映像のノイズ減衰率が上昇することを観察することができた。
【００５２】
【表３】
2020510510.tif 000005
【００５３】
４−２．クエン酸を利用したＭＲＩ映像のノイズ除去確認
また、前記実施例１−１の方法によって、クエン酸（Ｃ６Ｈ８Ｏ７Ｈ２Ｏ）をパッド内に充填してパッドを製作した後、ＭＲＩ映像を測定した。
【００５４】
その結果、図７及び表４に示されたように、図面の左側から右側に（上段のクエン酸濃度は、左側から右側に０％（Ｈ２Ｏ）値を基準として２０％、４０％の順に高くなり、同様に、下段のクエン酸の濃度も、左側から右側に６０％、８０％、１００％の順に高くなった。）次第にクエン酸の濃度が高くなるほど、ＲＯＩ平均値が増加して、ＭＲＩ映像のノイズ減衰率が上昇することを観察することができた。
【００５５】
【表４】
2020510510.tif 000006
【００５６】
４−３．炭酸水素ナトリウムを利用したＭＲＩ映像のノイズ除去確認
前記実施例１−１の方法によって、炭酸水素ナトリウム（ＮａＨＣＯ３）をパッド内に充填してパッドを製作した後、ＭＲＩ映像を測定した。
【００５７】
その結果、図８及び表５に示されたように、図面の左側から右側に（上段の炭酸水素ナトリウムの濃度は、左側から右側に０％（Ｈ２Ｏ）値を基準として２０％、４０％の順に高くなり、同様に、下段の炭酸水素ナトリウムの濃度も、左側から右側に６０％、８０％、１００％の順に高くなった。）次第に炭酸水素ナトリウムの濃度が高くなるほど、ＲＯＩ平均値が増加し、ＭＲＩ映像のノイズ減衰率が上昇することを観察することができた。
【００５８】
【表５】
2020510510.tif 000007
【００５９】
４−４．エタノールを利用したＭＲＩ映像のノイズ除去確認
前記実施例１−１の方法によって、エタノール（Ｃ２Ｈ５ＯＨ）をパッド内に充填してパッドを製作した後、ＭＲＩ映像を測定した。
【００６０】
その結果、図９及び表６に示されたように、図面の左側から右側に（上段のエタノールの濃度は、左側から右側に０％（Ｈ２Ｏ）値を基準として２０％、４０％の順に高くなり、同様に、下段のエタノールの濃度も、左側から右側に６０％、８０％、１００％の順に高くなった。）次第にエタノールの濃度が高くなるほど、ＲＯＩ平均値が増加し、ＭＲＩ映像のノイズ減衰率が上昇することを観察することができた。
【００６１】
【表６】
2020510510.tif 000008
【００６２】
４−５．グリセリンを利用したＭＲＩ映像のノイズ除去確認
前記実施例１−１の方法によって、グリセリン（Ｃ３Ｈ８Ｏ３）をパッド内に充填してパッドを製作した後、ＭＲＩ映像を測定した。
【００６３】
その結果、図１０及び表７に示されたように、図面の左側から右側に（上段のグリセリンの濃度は、左側から右側に０％（Ｈ２Ｏ）値を基準として２０％、４０％の順に高くなり、同様に、下段のグリセリンの濃度も、左側から右側に６０％、８０％、１００％の順に高くなった。）次第にグリセリンの濃度が高くなるほど、ＲＯＩ平均値が増加し、ＭＲＩ映像のノイズ減衰率が上昇することを観察することができた。
【００６４】
【表７】
2020510510.tif 000009
【００６５】
前述した本発明の説明は、例示のためのものであり、本発明の属する技術分野における通常の知識を有する者は、本発明の技術的思想や必須の特徴を変更することなく、他の具体的な形態で容易に変形が可能であることを理解することができる。したがって、以上で記述した実施例は、すべての面において例示的なものであり、限定的でないものと理解しなければならない。
【産業上の利用可能性】
【００６６】
本発明の水素結合が可能な官能基を有する化合物を利用したＭＲＩノイズ除去用組成物及びこれを利用したパッドに関し、本発明による組成物またはパッドは、ＭＲＩ映像の獲得において金属インプラントなどにより誘導されるノイズを減少させて映像改善効果に優れており、価格が安くて、経済的であり、人体に毒性がないため、安全であり、医療機器分野において映像診断装置の一構成として利用され得、映像医学分野においてノイズが除去されたＭＲＩ映像の獲得のために有用に利用されるものと期待される。
【図１ａ】
2020510510.tif 000010
【図１ｂ】
2020510510.tif 000011
【図２】
2020510510.tif 000012
【図３】
2020510510.tif 000013
【図４ａ】
2020510510.tif 000014
【図４ｂ】
2020510510.tif 000015
【図５ａ】
2020510510.tif 000016
【図５ｂ】
2020510510.tif 000017
【図５ｃ】
2020510510.tif 000018
【図５ｄ】
2020510510.tif 000019
【図５ｅ】
2020510510.tif 000020
【図５ｆ】
2020510510.tif 000021
【図５ｇ】
2020510510.tif 000022
【図５ｈ】
2020510510.tif 000023
【図５ｉ】
2020510510.tif 000024
【図５ｊ】
2020510510.tif 000025
【図５ｋ】
2020510510.tif 000026
【図５ｌ】
2020510510.tif 000027
【図６】
2020510510.tif 000028
【図７】
2020510510.tif 000029
【図８】
2020510510.tif 000030
【図９】
2020510510.tif 000031
【図１０】
2020510510.tif 000032
【国際調査報告】
2020510510.tif 000033
2020510510.tif 000034
2020510510.tif 000035
2020510510.tif 000036
2020510510.tif 000037
2020510510.tif 000038
2020510510.tif 000039
2020510510.tif 000040